(57)【要約】【課題】パーソナルコンピュータなどの情報処理装置を介することなく写真画像を印刷することができる帳票印刷システムにおいて、選択された帳票レイアウトによって指定される画像配置を用いて印刷することができ、また、帳票レイアウトを簡単に修正、変更登録を行うことができる帳票印刷システムを得る。【解決手段】帳票レイアウトをスクリプトファイルによって規定し、印刷条件に応じて帳票レイアウトスクリプトに印刷画像を埋込むことにより、画像を配置した帳票印刷を容易に行うことを可能にし、また、スクリプトファイルは簡単に修正、変更できる形式とした帳票印刷システムによる。【選択図】図１
2006238145.tif 000002
【特許請求の範囲】
【請求項１】
被写体を表す光学像を撮像手段にて電気信号に変換し、この電気信号を表す画像データを情報記録媒体に記憶する画像撮影装置と、この画像撮影装置と通信可能に構成されている印刷装置を有してなる帳票印刷システムであって、
画像撮影装置は、印刷装置能力値を受信する手段、受信した上記能力値を表示する手段、表示した能力値と印刷を要求する帳票レイアウトと画像データを選択する操作選択手段、上記操作選択手段によって指定した情報を含む印刷要求情報を印刷装置に送信する通信手段を有し、
印刷装置は、帳票レイアウトを記憶する記憶手段、印刷装置能力値を送信する手段、上記印刷要求情報を受信する手段、受信した印刷要求情報を解読し記憶手段から該当する帳票レイアウトを読み出して展開する手段、上記展開した帳票レイアウトに従って上記画像データの展開先を指定する手段、帳票レイアウトに従って帳票を描画する手段、上記描画した帳票レイアウトを印刷する手段を有していることを特徴とする帳票印刷システム。
【請求項２】
上記印刷装置が、帳票レイアウトを追加及び削除する編集手段を更に有することを特徴とする請求項１記載の帳票印刷システム。
【請求項３】
被写体を表す光学像を撮像手段にて電気信号に変換し、該電気信号を表す画像データを情報記録媒体に記憶する画像撮影装置と、上記画像撮影装置と通信可能に構成されている印刷装置からなる帳票印刷システムであって、
画像撮影装置は、帳票レイアウトを記憶する記憶手段、印刷装置能力値を受信する手段、受信した上記能力値を表示する手段、表示した能力値と印刷を要求する帳票レイアウトと画像データを選択する操作選択手段、上記操作選択手段によって指定した情報を含む印刷要求情報を印刷装置に送信する通信手段を有し、
印刷装置は、印刷装置能力値を送信する手段、上記印刷要求情報を受信する手段、受信した印刷要求情報を解読し該当する帳票レイアウトを画像撮影装置に要求して受信する手段、上記受信した帳票レイアウトを展開する手段、上記展開した帳票レイアウトに従って上記画像データの展開先を指定する手段、帳票レイアウトに従って帳票を描画する手段、上記描画した帳票レイアウトを印刷する手段を有していることを特徴とする帳票印刷システム。
【請求項４】
上記画像撮影装置が、帳票レイアウトを追加及び削除する編集手段を更に有することを特徴とする請求項３記載の帳票印刷システム。
【請求項５】
被写体を表す光学像を撮像手段にて電気信号に変換し、この電気信号を表す画像データを情報記録媒体に記憶する画像撮影装置と、この画像撮影装置が通信可能に構成されている帳票印刷装置を有し、この帳票印刷装置によって撮影画像を出力する帳票印刷方法であって、
画像撮影装置が印刷装置の印刷装置能力値を表示手段によって表示し、操作手段によって能力を選択するステップと、
上記選択した情報を用いて印刷要求ファイルを生成し印刷装置に送信するステップと、
上記印刷装置が上記印刷要求ファイルを受信して解読するステップと、
上記解読した印刷要求ファイルに含まれる識別子によって、印刷に必要な帳票レイアウトを記憶手段から読み出すステップと、
上記解読した印刷要求ファイルに含まれる識別子によって印刷に必要な画像を画像撮影装置に送信要求をし、受信するステップと、
上記読み出した帳票レイアウトを展開して、帳票レイアウトによって指示する画像展開先に画像を展開するステップと、
上記読み出した帳票レイアウトによって指示される帳票を描画するステップと、
上記帳票に上記画像を埋込んだ出力データを生成するステップと、
上記出力データを用いて印刷ステップと、を有することを特徴とする帳票印刷方法。
【請求項６】
被写体を表す光学像を撮像手段にて電気信号に変換し、この電気信号を表す画像データを情報記録媒体に記憶する画像撮影装置と、この画像撮影装置が通信可能に構成されている帳票印刷装置を有し、この帳票印刷装置によって撮影画像を出力する帳票印刷方法であって、
画像撮影装置が印刷装置の印刷装置能力値を表示手段によって表示し、操作手段によって能力を選択するステップと、
上記選択した情報を用いて印刷要求ファイルを生成し印刷装置に送信するステップと、
上記印刷装置が上記印刷要求ファイルを受信して解読するステップと、
上記解読した印刷要求ファイルに含まれる識別子によって、印刷に必要な帳票レイアウトと、画像を画像撮影装置に送信要求をし、受信するステップと、
上記受信した帳票レイアウトを展開して、帳票レイアウトによって指示する画像展開先に画像を展開するステップと、
上記帳票レイアウトによって指示される帳票を描画するステップと、
上記帳票に上記画像を埋込んだ出力データを生成するステップと、
上記出力データを用いて印刷するステップと、を有することを特徴とする帳票印刷方法。
【発明の詳細な説明】
【技術分野】
【０００１】
本発明は、デジタルカメラで撮影した画像を、パーソナルコンピュータなどを介することなく、印刷装置に直接印刷することができる帳票印刷システムおよび帳票印刷方法に関するものである。
【背景技術】
【０００２】
従来、デジタルカメラで撮影した写真画像の印刷は、パーソナルコンピュータ等情報処理装置において、写真画像を処理することが可能なアプリケーションプログラムを動作させ、上記プログラムによって、印刷装置（プリンター）の制御を含む処理を行って実現していた。
【０００３】
近年、より容易に写真画像を印刷する手段として、パーソナルコンピュータを介することなく、デジタルカメラから写真画像を直接プリンターへ送信し、印刷することができるデジタルカメラとプリンターによる印刷システムが普及してきている。
【０００４】
図１７は従来のダイレクトプリントシステムの構成を示す概略図である。ダイレクトプリントシステム１００は、デジタルカメラ１とプリンター２とを通信手段３を介して通信可能に接続して構成している。通信手段３は有線・無線を問わず使用可能であり有線の具体例はＵＳＢ（Universal  Sirial  Bus）である。また、無線の具体例はBluetooth、Ｗｉ−ｆｉ、ＩｒＤＡ（赤外線通信）など広く一般に用いられている近距離無線通信方式である。一般にはＵＳＢを用いる形態が普及している。
【０００５】
従来のダイレクトプリントシステムの印刷処理について図１８のシーケンス図を用いて説明する。各ステップを（２０１）、（２０２）、・・・のように表す。ダイレクトプリントシステムに対応するデジタルカメラ１とプリンター２とを通信ケーブルなどを用いて物理的に接続し、通信路が確立すると（２０１）、デジタルカメラ１はプリンター２に対しプリンター２が処理することができる能力を表わす情報（以下「プリンター能力値」という）を要求する（２０２）。上記要求に対してプリンター２は、デジタルカメラ１に対して自己の保有するプリンター能力値を送信し、デジタルカメラ１は上記プリンター能力値を受信する（２０３，２０４）。デジタルカメラ１は受信したプリンター能力値をデジタルカメラ１が有する表示装置に表示し（２０５）、操作者による能力の選択を受付ける。図１９にデジタルカメラ１が表示装置に表示するプリンター能力値の例を示す。図１９に示すようにデジタルカメラ１の有する機能によって、上記プリンター能力値は可読可能に表示される。操作者は所望する操作を選択する（２０６）。次に、印刷したい画像を指定する（２０８）。次に図示しない手段によって印刷要求処理を実行すると、デジタルカメラ１は印刷要求情報ファイルを生成しプリンター１へ送信する（２０９）。
【０００６】
印刷要求情報ファイルを受信したプリンター２は、印刷要求情報ファイル内に記述されている印刷対象の画像ファイルをデジタルカメラ１に対して要求する（２１１）。デジタルカメラ１はプリンター２から要求された画像ファイルをプリンター２に対して送信し（２１２）、プリンター２は受信した画像ファイルを用いて出力データを生成し（２１３）印刷する（２１４）。
【０００７】
上記システムにより得る写真印刷物は、撮影した画像そのままに何も修飾せずに印刷するものが、基本となっている。しかしながら、多種態様な印刷レイアウトを予めデジタルカメラ側に準備しておき、上記レイアウトを表示手段に表示して選択するようにして、印刷を要求する写真画像と上記レイアウトを合成して印刷をすることができる発明が知られている（例えば、特許文献１を参照）。
【０００８】
また、撮影した写真画像と予め記憶してある背景テンプレートを画像合成することができるデジタルカメラにおいて、背景テンプレートを選択して写真画像の合成位置を指定する手段を有するデジタルカメラに関する発明も知られている（例えば、特許文献２参照）。
【０００９】
【特許文献１】特開２００４−７７５０号公報
【特許文献２】特開２０００−２３２６１７号公報
【００１０】
上記各特許文献記載の発明を用いると、デジタルカメラにて撮影した写真画像を、背景テンプレートを含む印刷レイアウトに選択的に合成し、パーソナルコンピュータを介することなく容易に写真印刷を行うことが可能となる。しかし、印刷レイアウトは予めデジタルカメラもしくは、プリンターの記憶装置内に画像として保存しておく必要があり、選択できるレイアウト種類も限られてしまい、印刷を望む利用者の要求に柔軟に対応することは困難である。
【００１１】
また、上記の発明で利用するレイアウト（テンプレート）は画像情報であり、保存に必要となる記憶容量が大きく、また、上記合成処理にも時間がかかるので、手軽に印刷処理を行うことは困難である。
【発明の開示】
【発明が解決しようとする課題】
【００１２】
本発明は、上記課題に鑑みてなされたものであって、パーソナルコンピュータなどの情報処理装置を介することなく写真画像を印刷することができる帳票印刷システムにおいて、印刷対象の写真画像と、印刷に用いる帳票レイアウトをプリンターに送信し、プリンター側で必要な写真画像をデジタルカメラから取得して、上記選択された帳票レイアウトによって指定される画像配置を用いて印刷することができ、また、上記帳票レイアウトを簡単に修正、変更登録を行うことができる帳票印刷システムを実現することを目的とする。
【課題を解決するための手段】
【００１３】
本発明は、被写体を表す光学像を撮像手段にて電気信号に変換し、この電気信号を表す画像データを情報記録媒体に記憶する画像撮影装置と、この画像撮影装置と通信可能に構成されている印刷装置を有してなる帳票印刷システムであって、画像撮影装置は、印刷装置能力値を受信する手段、受信した上記能力値を表示する手段、表示した能力値と印刷を要求する帳票レイアウトと画像データを選択する操作選択手段、上記操作選択手段によって指定した情報を含む印刷要求情報を印刷装置に送信する通信手段を有し、印刷装置は、帳票レイアウトを記憶する記憶手段、印刷装置能力値を送信する手段、上記印刷要求情報を受信する手段、受信した印刷要求情報を解読し記憶手段から該当する帳票レイアウトを読み出して展開する手段、上記展開した帳票レイアウトに従って上記画像データの展開先を指定する手段、帳票レイアウトに従って帳票を描画する手段、上記描画した帳票レイアウトを印刷する手段を有していることを最も主要な特徴とする。
【００１４】
上記記憶手段は取り外し可能であってもよい。また、帳票レイアウトを画像撮影装置の記憶手段内に保存し、印刷装置からの要求によって読み出すようにしてもよい。
【発明の効果】
【００１５】
本発明によれば、予め決められた帳票レイアウトに従って、印刷装置に直接接続して印刷処理を行うことが可能となる。また、本発明によれば、印刷に用いる帳票レイアウトを利用者が容易に修正加工することが可能となる。また、上記修正加工処理はパーソナルコンピュータを用いることなく画像撮影装置において行うことも可能となる。
【発明を実施するための最良の形態】
【００１６】
以下、本発明の実施形態について図を用いて説明する。図１は本発明に係る帳票印刷システムを構成するデジタルカメラ１の例を示す機能ブロック図である。また、図２は本発明に係る帳票印刷システムを構成するプリンター２の例を示す機能ブロック図である。
【実施例１】
【００１７】
図１において、デジタルカメラ１は、情報を記憶するフラッシュメモリなどに代表される外部記憶装置１１と、ＣＣＤやＡＤ変換器など画像情報の入力部である撮像装置１２と、撮像操作に関わる各種情報や撮影画像設定に関わる各種情報を表示する表示装置１３と、外部からの操作入力を行う操作卓１４と、プリンター２とのインターフェースを制御する通信Ｉ／Ｆ部１５と、デジタルカメラ全体を制御する全体制御装置１０とを有する。尚、全体制御装置１０は、ＣＰＵ／ＲＯＭ／ＲＡＭ／入出力ポート（Ｉ／Ｏポート）及びこれらを結ぶバスラインなどからなる周知のマイクロコンピュータにより構成されている。
【００１８】
また図２においてプリンター２は、情報を記憶するフラッシュメモリなどの外部記憶装置２１と、用紙への印刷を行う印刷装置２２と、各種情報の表示装置２３と、外部からの入力を行う操作卓２４と、デジタルカメラ１とのインターフェースを制御する通信Ｉ／Ｆ部２５と、プリンター全体を制御する全体制御装置２０とを有する。尚、全体制御装置２０は、ＣＰＵ／ＲＯＭ／ＲＡＭ／入出力ポート（Ｉ／Ｏポート）及びこれらを結ぶバスラインなどからなる周知のマイクロコンピュータにより構成されている。
【００１９】
次に上記デジタルカメラ１と上記プリンター２による帳票印刷システムにおける帳票印刷処理を、図３のシーケンス図を用いて説明する。なお、既に説明した従来の印刷システムのシーケンス処理と同様の処理については同じ符号を用いている。デジタルカメラ１がプリンター２と接続され通信路が確立すると（２０１）、プリンター能力値を受信する（２０２、２０３、２０４）。上記プリンター能力値はプリンター２が実行可能な処理を表わす情報群である。具体的には、印刷に使用可能な用紙サイズ、印字条件（日付も印刷する、写真画像の名前も印刷するなど）を示す所定形式のスクリプトで表現されたテキストファイルである。
【００２０】
デジタルカメラ１は上記プリンター能力値を表示装置１３に表示する（２０５）。図９に上記表示画面の表示例を示す。本発明に係る帳票印刷システムにおいて最も特徴的な印刷処理である「９．帳票レイアウト」を選択した例として、以下の説明をする。操作者は操作卓１４を操作して「９．帳票レイアウト」を選択する（２０６）。帳票レイアウトを選択すると、図１０に示すように、選択可能な帳票レイアウトの種類が表示されるので、操作者は印刷に用いようとする出力形式すなわちレイアウトを選択し（２０７）、合わせて印刷したい写真画像を選択する（２０８）。印刷要求処理を実行すると上記工程によって選択された帳票レイアウト名と画像ファイルの指定を含む印刷要求情報ファイルを生成して、プリンター２へ送信する（２０９）。
【００２１】
上記印刷要求情報ファイルを受信したプリンター２は、印刷要求情報ファイル内に指定されている帳票レイアウト名に該当する帳票レイアウトファイルを準備し（２１０）、上記印刷要求情報ファイルに指定されている画像ファイルをデジタルカメラ１に要求する（２１１）。デジタルカメラ１はプリンター２から要求された画像ファイルを、プリンター２に対して送信する（２１２）。プリンター２は受信した画像ファイルを上記準備した帳票レイアウトファイルに当てはめて出力データを生成し（２１３ａ）、印刷装置２２によって印刷する（２１４）。
【００２２】
次に上記処理における、デジタルカメラ１の処理について詳細に説明する。図５は、本発明に係るデジタルカメラの処理の流れを示すフローチャートである。デジタルカメラ１は、通信Ｉ／Ｆ部１５においてプリンター２との接続を検出するまでは検出待ち状態（３０１のＮ）を繰り返す。プリンター２との接続を検出すると（３０１のＹ）、プリンター２に対してプリンター能力値の送信要求を行い、プリンター能力値受信待ち状態になる。プリンター能力値を受信すると（３０２）、全体制御装置１０にあるＲＡＭに受信したプリンター能力値を記憶する。
【００２３】
図８に上記処理によってデジタルカメラ１が受信するプリンター２のプリンター能力値の例を示す。図８は汎用性に優れたＸＭＬ形式のスクリプトファイルでプリンター能力値を表わした例である。図８において当該プリンターは帳票レイアウト印刷処理を行うことが可能であり、使用できる帳票レイアウトは「lineFormatＡ」、「lineFormatＢ」、「lineFormatＣ」であることを表わしている。
【００２４】
デジタルカメラ１は、上記のプリンター能力値を表示装置１３に表示し操作者の選択操作を待つ（３０３）。図９及び図１０に上記操作選択時に表示される能力値表示画面の例を示す。図９おいて画面１３０は画面タイトル１３０ｂと共に受信したプリンター能力値を表示するものである。プリンター能力値は受信したスクリプトのままを表示せず、図１３に示すプリンター能力値変換テーブルによって言語表示に変換し表示する。なお上記プリンター能力値変換テーブルは、全体制御装置１０のＲＯＭもしくは外部記憶装置１１に記憶されているものであって、本処理を実行するプログラムによって読み出される。
【００２５】
図１に示す操作卓１４の操作によって図９に示すように「９．帳票レイアウト」が選択されると、図１０にて例示する帳票選択画面が表示される。図１０（ａ）は図１３に示すプリンター能力値変換テーブルによって変換された言語表示の例である。帳票選択画面１３０に表示されている帳票レイアウトの１つを操作卓１４の操作によって選択されるまで入力待ちを繰返し（３０３のＮ）、選択されたら（３０３のＹ）、選択された帳票レイアウトの種類を全体制御装置１０のＲＡＭに記憶する（３０４）。次に印刷したい画像を選択するための画面を表示装置１３に表示する。
【００２６】
画像選択画面の例を図１１に示す。図１１おいて画面１３０ａは画面タイトル１３０ｂとともに、印刷可能な写真画像の縮小表示５０ｄを表示している。ここで表示される写真画像はデジタルカメラ１の外部記憶装置１１に予め保存しているものである。表示された画像を操作卓１４によって選択操作すると（３０５のＹ）、選択した画像のファイル名と、先にＲＡＭに記憶している選択された帳票レイアウト名を表わす識別子（例えば「lineFormatＡ」）とを読み出して印刷要求情報ファイルを生成しプリンター２に送信する。上記画像選択操作は、先に選択している帳票レイアウトが複数の画像を用いるものであれば、当該帳票レイアウトに必要な画像数を選択し終わるまで上記の選択処理を繰り返す（３０５のＮ）。
【００２７】
上記印刷要求情報ファイルには、上記操作によって選択された画像ファイルと、帳票レイアウトを示す識別子が記述されている。図１２に印刷要求情報ファイルの内容の例を示す。図１２において、印刷要求情報ファイルは、当該印刷要求が「印刷要求情報である」ことを示す情報識別子７０と、帳票識別子７１で囲われた選択帳票レイアウト名７２、ファイル識別子で囲われた選択画像ファイルのファイル名７４によって構成される。上記印刷要求情報ファイルは、１つの印刷要求に対して１印刷処理を行う場合である。複数の画像を１つの帳票レイアウトによって印刷する場合は、帳票レイアウト名７２は複数の画像を要するレイアウト名であり、選択画像ファイル名７４は複数行の記述となる。
【００２８】
次にプリンター２の処理の詳細について説明する。図６は、本発明に係るプリンターの処理の流れを示すフローチャートである。プリンター２は、通信Ｉ／Ｆ部２５においてデジタルカメラ１との接続を検出するまでは検出待ち状態（３５１のＮ）を繰り返す。デジタルカメラ１の接続を検出すると（３５１のＹ）デジタルカメラ１からのプリンター能力値送信要求の受信後にプリンター能力値の送信処理を行う（３５２）。その後、既に説明した通りデジタルカメラ１側にて行う帳票レイアウトと印刷対象画像選択処理によって生成される印刷要求情報ファイルが送信されてくるまでは、受信待ち状態を繰り返す（３５３のＮ）。
【００２９】
印刷要求情報ファイルを受信すると（３５３のＹ）、全体制御装置２０のＲＯＭに記憶されているプログラムによって、印刷要求情報ファイルを展開し、内容の解読を行う。上記処理によって印刷要求情報ファイルに含まれる帳票識別子７１が示す帳票レイアウト名７２に該当する帳票レイアウトファイルを外部記憶装置２１から読み出す。
【００３０】
図７に、上記帳票レイアウトファイルの展開イメージを示す。図７において、帳票レイアウト５０は、画像展開領域５２と罫線描画領域５２を有してなる。このような領域を有する帳票レイアウトをＲＡＭに展開する。
【００３１】
図１２に示した印刷要求情報ファイルを例に説明すると、「lineFormatA」を用いた印刷が要求されているため、図７（ａ）に示した帳票レイアウトのように編集用画像領域５２罫線を描画する（３５４）。続いて印刷対象として画像ファイル「RIMG0001.JPG」をデジタルカメラ１へ要求して受信する。当該画像ファイルはＪＰＥＧ形式にて圧縮保存されているので、プリンター２では受信した画像ファイルのデコード（伸張）を行った上で画像展開領域５１内に埋込処理を行う（３５５）。
【００３２】
図７に示した帳票レイアウトを生成するスクリプトファイルは、ＨＴＭＬ形式で編集しプリンター２の外部記憶装置２１（図２参照）に保存しておく。本実施例では、画像展開領域５１を示す情報（矩形左上のＸ、Ｙ座標位置と幅と高さの情報）と、罫線描画に要する情報（線の太さ、種別（点線、実線など）と、Ｘ、Ｙ座標位置と幅の情報）をスクリプトファイルとして、ファイル名を付与して保存しておく。
【００３３】
このように複数の情報を用いて生成する出力データの例を図１６に示す。図１６に示すように出力データはホームページ記述に一般に用いるＨＴＭＬ形式にて表わされている。この出力データによって印刷装置２２にて印刷処理を行う。
【００３４】
次に本発明に係る帳票印刷システムにおいて用いる帳票レイアウトについて詳細に説明する。既に説明したように帳票レイアウファイルは、ＨＴＭＬ形式であってファイルとして外部記憶装置２１に保存されている。一般に外部記憶装置２１は、不揮発性メモリであって任意に取り外し可能である。従って、外部記憶装置２１をプリンター２より一旦外し、パソコンに取付けることで、外部記憶装置２１に保存してあるファイルの編集をパソコン上で行うことができる。即ち帳票レイアウトファイルもパソコン上で使用できるオーサリングツールを用いて編集し、再度プリンターの外部記憶装置２に戻すことが可能である。このように、任意の帳票レイアウトを容易に作成することが可能となる。本発明において、帳票レイアウトファイルは簡易なスクリプトファイルで構成できるようにしたので、利用者が任意の帳票レイアウトを自由に作成して利用することが可能となる。
【００３５】
また、上記帳票レイアウトファイルを、プリンター２の表示装置２３に表示し、操作卓２４によって編集することができるようにすれば、上記のようにパソコンを用いることなく、更に容易に、かつ、利用者が任意に新規の帳票レイアウトを作成することが可能となる。
【実施例２】
【００３６】
次に、本発明の別の実施形態について図４のシーケンス図を用いて説明する。既に説明した処理と同様のものは同じ符号によって表している。図４において印刷要求（２０９）に至るまでの処理の内容は図３に示す処理と同様である。印刷要求情報ファイルを受信したプリンター２は、印刷要求情報ファイルを解読し、帳票識別子７１が示す帳票レイアウト名７２と画像ファイル識別子が示す画像ファイル名を特定する。
【００３７】
次に、上記帳票レイアウト名に該当する帳票レイアウトファイルと、画像ファイル名に該当する画像ファイルとをデジタルカメラ１に要求する（２１０ａ、２１１）。デジタルカメラ１は、プリンター２から要求された両ファイルを送信する（２１２ａ、２１２ｂ）。プリンター２は上記画像ファイルと上記帳票レイアウトファイルを展開して出力データを作成し（２１３ｂ）、図７に示すような帳票レイアウトによる印刷物を出力する（２１４）。このように、帳票レイアウトファイルをプリンター２ではなく、デジタルカメラ１の外部記憶装置内に保存し、それを用いて帳票印刷を行うことを容易に行うことができるようになる。
【実施例３】
【００３８】
次に実施例３について説明する。実施例３で用いるプリンター能力値の例を図１４に示す。既に説明したとおりプリンター能力値はデジタルカメラ１とプリンター２の通信が確立した後に、デジタルカメラ１の要求によってプリンター２からデジタルカメラ１に対して送信されるスクリプトファイルである。図１４において、プリンター能力値は、スクリプトファイル内に帳票レイアウト識別子と画像ファイル識別子を読み取ることが可能な情報で記述している。こうすることにより、実施例１に示したプリンター能力値の例（図９）をプリンター能力値対応テーブル（図１３）による変換を行うことなく、受信したプリンター能力値のスクリプトファイル内の記述を利用して、デジタルカメラ１の表示装置１３に表示できるようになる。
【実施例４】
【００３９】
次に本発明に係る帳票印刷システムに用いるプリンター能力値の別の実施形態について説明する。図１４に示すプリンター能力値によれば、「lineFormatA」で示される帳票レイアウトは「LFMT0001.hml」というファイル名のＨＴＭＬ形式ファイルとしてプリンター２の外部記憶装置２１に記憶されていることが判別できる。プリンター能力値を受信したデジタルカメラ１は、表示装置１３にプリンター能力値を表示する際に、プリンター２から上記「LFMT0001.hml」を受信して表示することにより、図１０（ｂ）に示すような印刷のプレビューを表示することができる。このように、実施例４に係るプリンター能力値を用いることで、デジタルカメラ側に特別な情報変換機能、それに係る変換テーブルを備えなくても、操作者にとってわかりやすい形式で表示が可能である。これによって印刷する前に予め印刷物の出力を確認することができる。なお、ＨＴＭＬを表示装置１３へ表示するためのレンダリングを含む一連の処理は、インターネットのホームページをＷｅｂブラウザソフトウェアで行う処理と同様であり、既に公知の技術であるため詳細な説明は割愛する。
【産業上の利用可能性】
【００４０】
本発明は、ＵＳＢ接続でパソコンと接続するカメラ付携帯電話などにも適用できる。
【図面の簡単な説明】
【００４１】
【図１】本発明に適用可能なデジタルカメラの例を示すブロック図である。
【図２】本発明に適用可能なプリンターの例を示すブロック図である。
【図３】本発明に係る帳票印刷システムの動作の例を示すシーケンス図である。
【図４】本発明に係る帳票印刷システムの動作の別例を示すシーケンス図である。
【図５】本発明に係る帳票印刷システムに適用可能なデジタルカメラの処理の例を示すフローチャートである。
【図６】本発明に係る帳票印刷システムに適用可能なプリンターの処理の例を示すフローチャートである。
【図７】本発明に適用可能な帳票レイアウトの例を示す説明図である。
【図８】本発明に適用可能なプリンターがデジタルカメラに送信するプリンター能力値の記述例である。
【図９】本発明に適用可能なデジタルカメラの表示装置における画面表示の例を示す説明図である。
【図１０】本発明に適用可能なデジタルカメラの表示装置における画面表示の例を示す説明図である。
【図１１】本発明に適用可能なデジタルカメラの表示装置における画面表示の例を示す説明図である。
【図１２】本発明に係る帳票印刷システムに用いる印刷要求情報ファイルの記述例である。
【図１３】本発明に適用可能なデジタルカメラが有する変換テーブルの例を示す図である。
【図１４】本発明に適用可能なプリンターがデジタルカメラに送信するプリンター能力値の別の記述例である。
【図１５】本発明に係る帳票印刷システムに用いる印刷要求情報ファイルの記述例である。
【図１６】本発明に係る帳票印刷システムによって生成される出力データの例を示す説明図である。
【図１７】本発明に適用可能なダイレクトプリントシステムの構成を示すブロック図である。
【図１８】従来のダイレクトプリントシステムの動作の例を示すシーケンス図である。
【図１９】従来のジタルカメラの表示装置における画面表示の例を示す説明図である。
【符号の説明】
【００４２】
１  デジタルカメラ
２  プリンター
３  通信ネットワーク
５０  帳票レイアウト
５１  画像展開領域
５２  罫線描画領域
１００  帳票印刷システム
【図１】
2006238145.tif 000003
【図２】
2006238145.tif 000004
【図３】
2006238145.tif 000005
【図４】
2006238145.tif 000006
【図５】
2006238145.tif 000007
【図６】
2006238145.tif 000008
【図７】
2006238145.tif 000009
【図８】
2006238145.tif 000010
【図９】
2006238145.tif 000011
【図１０】
2006238145.tif 000012
【図１１】
2006238145.tif 000013
【図１２】
2006238145.tif 000014
【図１３】
2006238145.tif 000015
【図１４】
2006238145.tif 000016
【図１５】
2006238145.tif 000017
【図１６】
2006238145.tif 000018
【図１７】
2006238145.tif 000019
【図１８】
2006238145.tif 000020
【図１９】
2006238145.tif 000021